(57)【特許請求の範囲】
【請求項１】
電線がそれぞれ接続される複数の第１端子を支持するソケットコネクタに対して接続され、基板に取り付けられるベースコネクタであって、
前記複数の第１端子に対して電気的に接続される複数の第２端子と、
ベースハウジング本体部と、を有し、
前記ベースハウジング本体部には突出部が形成されており、当該突出部は、前記ソケットコネクタのソケットハウジングにおいて孔状又は凹状に形成された受入部に対して嵌入するものであり、
前記突出部は、前記突出部が前記受入部に対して嵌入する方向である嵌入方向に沿って突出しており、
前記突出部の前記受入部に対する嵌入が完了すると、前記複数の第１端子と前記複数の第２端子とは電気的に接続された状態となり、
前記複数の第２端子は、少なくとも一つの前記第２端子を含む第１の端子グループと、少なくとも一つの前記第２端子を含む第２の端子グループと、を有して構成され、
前記第１の端子グループ及び前記第２の端子グループのそれぞれは、通電時において、前記第１の端子グループ及び前記第２の端子グループの一方よりも他方が高電位となるタイミングを有するように、電圧の印加が可能なものであり、
前記第１の端子グループ、及び、前記第２の端子グループは、前記ベースハウジング本体部の幅方向に沿って並べられており、
前記突出部の、前記幅方向に関して両端部に形成された二つの側面は、前記嵌入方向に対して平行であり、
前記ソケットコネクタの接続動作において、前記ソケットコネクタが前記突出部に沿ってスライドすることに伴い、前記ベースハウジング本体部に対する前記ソケットコネクタの進入角度が矯正され、
前記突出部は、前記第１の端子グループと前記第２の端子グループとの間の領域に配置され、
前記ベースハウジング本体部は、前記ソケットハウジングに形成された鉤状のロック部が引っ掛けられる部分である慣性ロック部を１つだけ有し、
前記慣性ロック部は、前記ベースハウジング本体部の側壁面から突出形成されており、且つ、前記幅方向に沿って延びており、
前記慣性ロック部が形成された前記ベースハウジング本体部の前記側壁面は、前記幅方向と直交し且つ前記ベースコネクタに接続された前記ソケットコネクタからの前記電線の引き出し方向とは反対方向を向いた側壁面であり、
前記慣性ロック部は、前記幅方向に関して、前記突出部と少なくとも一部が重なり合うように、当該側壁面の中心位置に対して対称に形成されていることを特徴とするベースコネクタ。
【請求項２】
前記慣性ロック部が形成された前記ベースハウジング本体部の前記側壁面に直交する方向から見たときに、前記慣性ロック部は、前記突出部と重なり合う範囲内にだけ形成されていることを特徴とする請求項１に記載のベースコネクタ。
【請求項３】
前記突出部における前記幅方向に関しての中心位置と前記側面との距離が、当該側面に最も近接している前記第２端子と当該側面との距離よりも大きいことを特徴とする請求項１又は２に記載のベースコネクタ。
【請求項４】
前記突出部は、一つの塊状として且つ柱状に形成されていることを特徴とする請求項１乃至３のいずれか１項に記載のベースコネクタ。
【請求項５】
前記突出部は直方体状に形成されており、
前記突出部の、前記幅方向に平行な二つの側面は、前記嵌入方向に対して平行であることを特徴とする請求項４に記載のベースコネクタ。
【請求項６】
前記慣性ロック部の、前記嵌入方向に関して前記ソケットコネクタ側には、前記ソケットコネクタの接続動作において前記ロック部が接触する第１接触面が形成されており、
前記側壁面の位置する平面と前記第１接触面との間の角度が、３５度以上９０度未満であることを特徴とする請求項１乃至５のいずれか１項に記載のベースコネクタ。
【請求項７】
前記慣性ロック部には、前記ソケットコネクタの接続動作において、前記ロック部が前記第１接触面との接触後に接触する、前記嵌入方向に平行な第２接触面がさらに形成されていることを特徴とする請求項６に記載のベースコネクタ。
【請求項８】
前記慣性ロック部の前記第１接触面は、前記複数の第１端子と前記複数の第２端子との接続が完了する接続完了状態における、前記ソケットコネクタの前記ロック部の位置よりも、前記嵌入方向に関して前記ソケットコネクタ側の位置に形成されていることを特徴とする請求項６又は７に記載のベースコネクタ。
【請求項９】
孔状又は凹状の受入部が形成されたソケットハウジングを備え、且つ、複数の第１端子を支持するソケットコネクタと、
請求項１乃至８のいずれか１項に記載のベースコネクタと、を有するコネクタ装置。
【請求項１０】
前記ソケットハウジングにおいて、前記嵌入方向に関する両端面を底面とした場合における全ての側面の、前記嵌入方向に関する両端部分に係る輪郭線が、直線状、又は、中心部分が段状に突出して形成された多段状であることを特徴とする請求項９に記載のコネクタ装置。
【請求項１１】
前記複数の第１端子のそれぞれは、電線に対して電気的に接続できるものであり、
前記嵌入方向と、前記ソケットコネクタからの前記電線の引き出し方向と、は直交していることを特徴とする請求項９又は１０に記載のコネクタ装置。 
【発明の詳細な説明】
【技術分野】
【０００１】
本発明は、基板に取り付けられるベースコネクタ及びこれを含むコネクタ装置に関し、より詳細には、接続用のガイド部を有するベースコネクタ及びこれを含むコネクタ装置に関する。
【背景技術】
【０００２】
従来のコネクタ等の例が特許文献１乃至４に開示されている。特許文献１の雄コネクタは、絶縁ハウジングに収容された２本のピンコンタクトが、ハウジングの中心線と平行してハウジングの開口部に突出する接触ピン部と、ハウジンクから延出してプリント配線板にはんだ付けされるリード部とを有し、開口部に他の雌コネクタが挿入して嵌合される雄コネクタであって、ハウジング内に、両接触ピン部の中間に配設され、かつ、両接触ピン部の先端より長く突出する隔壁が設けられており、一方、両リード部は、互いに横外側方へ屈曲して延出させ、そのはんだ付け部分のピッチが両接触ピン部のピッチより大きく形成されていることを特徴とする。一方、特許文献１において、雄コネクタの開口部に挿入して嵌合される雌コネクタは、接触ピン部に嵌合するソケットコンタクトを収容する絶縁ハウジングが、隔壁に係合する欠除部を有する二股状に形成されていると共に、開口部の内側面に設けられた係止部に係合する係止手段を有している。このような雄コネクタ及び雌コネクタにより、小型化を図りながら、コンタクト間の沿面距離及び空間距離を大きくして、高電圧に対応できる。
【０００３】
また、特許文献２のコネクタは、第１の電気コネクタ要素を支持する第１の構成要素と、第１の電気コネクタ要素に嵌挿される第２の電気コネクタ要素を支持する第２の構成要素と、第１の構成要素に取り付けられ、第１の電気コネクタ要素を電気的に短絡させる短絡要素と、第２の構成要素に対して掛け止めされる掛け止め要素であって、第２の構成要素が第１の構成要素に嵌挿されると、短絡要素を非短絡位置まで退避させるとともに第１の構成要素に対して係合するよう移動可能となる掛け止め要素と、を備えており、掛け止め要素が係合されることにより、第１の構成要素と第２の構成要素の分離が阻止される。
【０００４】
また、特許文献３のコネクタ接続構造は、コンタクト同士で電気的に接続される一対のコネクタのそれぞれに接続側の面を除いてコンタクトを覆うように一方のコネクタにコネクタカバーが設けられるとともに他方のコネクタにコネクタハウジングが設けられ、接続する際に該コネクタカバーの端部が当該コネクタハウジングの端部に外挿されるコネクタの接続構造であり、接続する際に当該コネクタカバーの端部と該コネクタハウジングの端部との間に形成される隙間をほとんど閉塞するように、当該コネクタカバーの接続側の開口端に閉塞部材が延設されている。これにより、誤った角度や位置でコネクタを接続しても、コネクタカバーの閉塞部材がコネクタハウジングの端部に当接し、その角度や位置ではコネクタカバーの端部をコネクタハウジングの端部に外挿することができないため、コンタクトが変形することなく、また、隣接するコンタクト間で短絡状態を生じることがない。
【０００５】
また、特許文献４の電気的接続箱と電子ユニットの組付構造は、相互に嵌合するコネクタ部を有する電気接続箱と電子ユニットとの何れか一方に案内凸部を設け、他方に、該案内凸部に対する係合凹部を設けて、該電気接続箱と該電子ユニットの組付と同時に該コネクタ部の接続を行わせる電気接続箱と電子ユニットの組付構造であって、前記案内凸部の先端方に幅狭部、該案内凸部の基端方に幅広部をそれぞれ形成し、前記係合凹部に、該幅狭部を通過させて該幅広部と嵌合する幅広部と、該幅狭部と嵌合する幅狭部とを形成してなる。電子ユニットを電気接続箱に組み付けるに際し、先ず、案内凸部の先端方の幅狭部が係合凹部の幅広部を通過する。この時点で、両コネクタ部が嵌合を開始し、次いで、案内凸部の幅狭部が係合凹部の幅狭部に嵌合する。すなわち、コネクタ部の位置合わせが、案内凸部の幅狭部と係合凹部の幅広部との係合隙間の間で可動に行われるから、各コネクタ部の位置寸法が寸法公差内で大きくずれている場合であっても、寸法誤差が吸収され、スムーズなコネクタ嵌合が可能となる。
【０００６】
【特許文献１】特開平１０−１７２６４９号公報
【特許文献２】特開２００２−３２４３６３８号公報
【特許文献３】特開２０００−２９４３４２号公報
【特許文献４】実開平０５‐００２５２７号公報
【発明の開示】
【発明が解決しようとする課題】
【０００７】
ところで、液晶パネルのインバータ基板については、近年の液晶パネルの大型化に伴い、その印加電圧が高くなってきている。通常、液晶パネルのインバータ基板等に使用される電源接続用のコネクタは、２極型（又は実質的に２極型）であり、一方の電極が、電源用電線（ホットライン）に接続され、他方が、接地電位とするためのグラウンド用電線（コールドライン）に接続される。このような電源接続用のコネクタにおいては、２極間に大きな電位差が生じることがあり、電極間の短絡を防止するため、例えば“１００ｖの（最大）電位差ごとに間隔１ｍｍ”というように、最大となる電位差の大きさに応じて、電極間の距離を長くする必要がある。そして、電極間の最大の電位差が大きくなるほど電極間距離は長くなるため、電極間のスペースが有効に利用されることが望ましい。
【０００８】
また、ベースコネクタに対してソケットコネクタが斜めの状態で取り付けられると、ベースコネクタの端子とソケットコネクタの端子との電気的接続が完了していない状態（半嵌合状態）となってしまう。そして、例えば、液晶パネルのインバータ基板等に使用される電源接続用のコネクタにおいては、上記のように印加電圧が高く、半嵌合状態を放置することは火災等の発生原因ともなり得るため、コネクタ間の電気的接続を確実なものとする必要がある。
【０００９】
特許文献１のコネクタは、案内突片及び案内溝により、雌コネクタを正しい嵌合位置に誘導する構成となっているが、この構成でも、雌コネクタが斜めの状態のまま嵌合してしまう可能性は排除されていない。
【００１０】
また、特許文献２のコネクタにおいても、第２の構成要素が斜めの状態のまま第１の構成要素に嵌挿されてしまう可能性がある。また、特許文献２のコネクタは２極型であり、掛け止め要素は、二つの電気端子（及びピン）を覆うように配置されている。そのため、特許文献２の技術においては、電極間のスペースが利用されているわけではない。
【００１１】
また、特許文献３のコネクタ接続構造では、閉塞部材である突起が設けられている。しかし、この突起が、コネクタカバーの端部とコネクタハウジングの端部との間に形成される隙間をほとんど閉塞するように設けられているとしても、プラグ側コネクタの装着容易性を確保するために、二つのコネクタの接続部には、ある程度の隙間が必要になる。そのため、隙間の大きさを小さく設定してしまうとコネクタの接続が困難になり、作業性が著しく低下してしまう一方、隙間をある程度確保した場合には、必ず斜め装着の可能性が生じる。そして、特許文献３の技術においては、このことを考慮した対策はなされていない。そのため、特許文献３のコネクタにおいても、第２の構成要素が斜めの状態のまま第１の構成要素に嵌挿されてしまう可能性がある。また、特許文献３のコネクタにおいて、閉塞部材である突起は、コネクタカバーの開口端の四隅に設けられており、この技術においては、電極間のスペースが利用されているわけではない。
【００１２】
また、特許文献４の技術は、コネクタの位置寸法が寸法公差内で大きくずれている場合に有効なものであり、斜め装着を防止できるものではない。
【００１３】
そこで、本発明の目的は、斜め装着を防止することにより確実な電気的接続が可能であると共に、電極間のスペースを有効利用できるベースコネクタ及びコネクタ装置を提供することである。
【課題を解決するための手段及び効果】
【００１４】
上記の目的を達成するために、本発明に係るベースコネクタは、複数の第１端子を支持するソケットコネクタに対して接続され、基板に取り付けられるベースコネクタであって、前記複数の第１端子に対して電気的に接続される複数の第２端子と、ベースハウジング本体部と、を有し、前記ベースハウジング本体部には突出部が形成されており、当該突出部は、前記ソケットコネクタのソケットハウジングにおいて孔状又は凹状に形成された受入部に対して嵌入するものであり、前記突出部は、前記突出部が前記受入部に対して嵌入する方向である嵌入方向に沿って突出しており、前記突出部の前記受入部に対する嵌入が完了すると、前記複数の第１端子と前記複数の第２端子とは電気的に接続された状態となり、前記複数の第２端子は、少なくとも一つの前記第２端子を含む第１の端子グループと、少なくとも一つの前記第２端子を含む第２の端子グループと、を有して構成され、前記第１の端子グループ及び前記第２の端子グループのそれぞれは、通電時において、前記第１の端子グループ及び前記第２の端子グループの一方よりも他方が高電位となるタイミングを有するように、電圧の印加が可能なものであり、前記第１の端子グループ、及び、前記第２の端子グループは、前記ベースハウジング本体部の幅方向に沿って並べられており、前記突出部の、前記幅方向に関して両端部に形成された二つの側面は、前記嵌入方向に対して平行であり、前記ソケットコネクタの接続動作において、前記ソケットコネクタが前記突出部に沿ってスライドすることに伴い、前記ベースハウジング本体部に対する前記ソケットコネクタの進入角度が矯正され、前記突出部は、前記第１の端子グループと前記第２の端子グループとの間の領域に配置されている。
さらに、前記ベースハウジング本体部は、前記ソケットハウジングに形成された鉤状のロック部が引っ掛けられる部分である慣性ロック部を１つだけ有し、前記慣性ロック部は、前記ベースハウジング本体部の側壁面から突出形成されており、且つ、前記幅方向に沿って延びている。また、前記慣性ロック部が形成された前記ベースハウジング本体部の前記側壁面は、前記幅方向と直交し且つ前記ベースコネクタに接続された前記ソケットコネクタからの前記電線の引き出し方向とは反対方向を向いた側壁面であり、前記慣性ロック部は、前記幅方向に関して、前記突出部と少なくとも一部が重なり合うように、当該側壁面の中心位置に対して対称に形成されている。
このとき、前記慣性ロック部が形成された前記ベースハウジング本体部の前記側壁面に直交する方向から見たときに、前記慣性ロック部は、前記突出部と重なり合う範囲内にだけ形成されていることが好ましい。
【００１５】
この構成では、ベースハウジング本体部において、嵌入方向に沿って突出した突出部が形成されており、この突出部の幅方向両端の側面は嵌入方向に対して平行となっている。そして、突出部は、ベースハウジング本体部に対するソケットコネクタの進入角度が、複数の第１端子及び複数の第２端子の電気的接続を完了するための適正な角度として許容される角度の範囲（許容進入角度範囲）に含まれるように、ソケットコネクタを誘導する。すなわち、突出部の二つの側面は、ソケットコネクタを誘導するガイド面として機能する。そして、ソケットコネクタの接続動作において、ソケットコネクタが突出部に沿ってスライドすることに伴い、ソケットコネクタの挿入角度が矯正される。そのため、ソケットコネクタの斜め装着を防止でき、コネクタにおける確実な電気的接続が可能となる。
【００１６】
また、この構成によると、突出部は、複数の第２端子における、第１の端子グループと第２の端子グループとの間の領域に配置される。すなわち、第１の端子グループ及び第２の端子グループを有する実質的に２極型のコネクタにおいて、突出部が電極間に位置することになる。そのため、例えば、高電圧の印加が必要な基板に用いられる、電源接続用のコネクタにおいて、広げられた電極間のスペースを有効利用できる。
【００１７】
また、２極間の最大電位差が大きい場合には、電極間は絶縁されている必要があり、それに関連して、２極間における電流の伝達距離は長い方が良い。そこで、ソケットハウジングに形成された受入部に突出部を嵌入する構成とすることで、ベースハウジング本体部及びソケットハウジングにおいて、少なくとも電極部分の沿面距離が確保されるために、突出部及び受入部が無い均一な状態に比べて、２極間における電流の伝達距離を長くすることができる。その結果、電極間（第１の端子グループと第２の端子グループとの間）において電流が流れ難くなり、２極間の最大電位差が大きい場合であっても、電極間がより確実に絶縁される。以上のように、この構成によると、斜め装着を防止することにより確実な電気的接続が可能であると共に、電極間のスペースを有効利用できるベースコネクタが得られる。
また、ベースハウジング本体部の側壁面から突出形成され、且つ、幅方向に沿って延びる慣性ロック部に、ソケットハウジングのロック部が仮接触することで、ソケットコネクタの進入角度がさらに確実に矯正される。
【００１８】
なお、“前記第１の端子グループ及び前記第２の端子グループの一方よりも他方が高電位となるタイミングを有する”とは、例えば、第１の端子グループ及び第２の端子グループのそれぞれに対して交流電圧が印加された場合に、一方が、他方よりも高電位になるタイミング（瞬間）があればよい、という意味であり、この場合の第１の端子グループ及び第２の端子グループの電位の高低の関係は、時間の経過と共に入れ替わるものであってもよい。また、例えば、第１の端子グループ及び第２の端子グループのそれぞれに対して直流電圧が印加されるような場合には、一方が他方よりも高電位である状態が維持されることも考えられるが、このような状態も含まれる意味であるとする。
【００１９】
また、前記突出部における前記幅方向に関しての中心位置と前記側面との距離が、当該側面に最も近接している前記第２端子と当該側面との距離よりも大きくてもよい。これによると、突出部の中心から側面までの長さに対して、突出部と第２端子との間の距離が短くなることにより、第２端子が突出部から近い位置に配置されるため、ベースコネクタ全体として、幅方向に関しての大型化を抑止できる。また、突出部が幅方向に関して比較的長くなるために、電極間がさらに確実に絶縁される。
【００２０】
また、前記突出部は、一つの塊状として且つ柱状に形成されていてもよい。これによると、突出部の形状が簡素なものとなるために、簡易な構成により斜め装着を防止できる。
【００２１】
また、前記突出部は直方体状に形成されており、前記突出部の、前記幅方向に平行な二つの側面は、前記嵌入方向に対して平行であってもよい。これによると、突出部において、幅方向両端部の二つの側面に加えて、さらに二つのガイド面が形成されるので、ソケットコネクタの進入角度が、より確実に矯正される。
【００２２】
また、前記慣性ロック部の、前記嵌入方向に関して前記ソケットコネクタ側には、前記ソケットコネクタの接続動作において前記ロック部が接触する第１接触面が形成されており、前記側壁面の位置する平面と前記第１接触面との間の角度が、３５度以上９０度未満であってもよい。 
【００２３】
これによると、側壁面の位置する平面と第１接触面との間の角度が、３５度以上９０度未満であることにより、ソケットコネクタをさらに挿入したときに、慣性ロック部に接触したロック部が撓みやすくなるので、ロック部が慣性ロック部に引っ掛ることなく慣性ロック部を超えられる。 
【００２４】
また、前記慣性ロック部には、前記ソケットコネクタの接続動作において、前記ロック部が前記第１接触面との接触後に接触する、前記嵌入方向に平行な第２接触面がさらに形成されていてもよい。これによると、慣性ロック部を容易に形成でき、且つ、慣性ロック部としての適度な強度を確保できる。
【００２５】
また、前記慣性ロック部の前記第１接触面は、前記複数の第１端子と前記複数の第２端子との接続が完了する接続完了状態における、前記ソケットコネクタの前記ロック部の位置よりも、前記嵌入方向に関して前記ソケットコネクタ側の位置に形成されていてもよい。これによると、まず、突出部に沿ってソケットコネクタがスライドすることでソケットコネクタの進入角度が矯正される。さらに、ロック部の位置に関して、第１端子及び第２端子の接続完了状態における位置よりも嵌入方向に関してソケットコネクタ側の位置において、ロック部が慣性ロック部に仮接触することで、接続完了位置の手前側においてソケットコネクタの進入角度がさらに矯正される。そのため、ソケットコネクタの進入角度が確実に矯正された状態で、第１端子及び第２端子の電気的接続が完了する。
【００２６】
上記の目的を達成するために、本発明に係るコネクタ装置は、孔状又は凹状の受入部が形成されたソケットハウジングを備え、且つ、複数の第１端子を支持するソケットコネクタと、上記のベースコネクタと、を有する。これによると、斜め装着を防止することにより確実な電気的接続が可能であると共に、電極間のスペースを有効利用できるコネクタ装置が得られる。
【００２７】
また、前記ソケットハウジングにおいて、前記嵌入方向に関する両端面を底面とした場合における全ての側面の、前記嵌入方向に関する両端部分に係る輪郭線が、直線状、又は、中心部分が段状に突出して形成された多段状であってもよい。これによると、ソケットハウジングが撓み難くなり、ソケットコネクタとベースコネクタとを確実に接続できる。
【００２８】
前記複数の第１端子のそれぞれは、電線に対して電気的に接続できるものであり、前記嵌入方向と、前記ソケットコネクタからの前記電線の引き出し方向と、は直交していてもよい。これによると、電線の引き出し方向と嵌入方向とが直交しているために、電線が引っ張られた場合であっても、ソケットコネクタが抜けにくい構造とすることができる。
【発明を実施するための最良の形態】
【００２９】
以下、本発明の好適な実施形態について図面を参照しつつ説明する。以下においては、説明の便宜のために本発明の好適な実施形態例のみを示すが、これにより本発明を限定するものではない。
【００３０】
（全体構成について）
まず、本発明の第１実施形態に係るコネクタ装置の全体構成について説明する。図１は、本発明の第１実施形態に係るベースコネクタ、及び、これを含むコネクタ装置の全体構成を示す斜視概略図である。図２は、図１のソケットコネクタの斜視概略図である。図３は、図１のソケットコネクタの裏面斜視概略図である。図４は、図１のソケットコネクタを示す概略図であり、（ａ）は平面図、（ｂ）は背面図、（ｃ）は底面図を示す。図５は、図１のソケットコネクタを示す概略図であり、（ｄ）は側面図、（ｅ）は正面図を示す。図６は、図１のベースコネクタの斜視概略図である。図７は、図１のベースコネクタの裏面斜視概略図である。図８は、図１のベースコネクタを示す概略図であり、（ａ）は平面図、（ｂ）は背面図、（ｃ）は底面図を示す。図９は、図１のソケットコネクタを示す概略図であり、（ｄ）は側面図、（ｅ）は正面図を示す。図１０は、図１のコネクタ装置の接続動作における一過程を示す斜視概略図である。図１１は、図１のコネクタ装置の接続動作における一過程を示す斜視概略図である。図１２は、図１のコネクタ装置の接続動作における一過程を示す斜視概略図である。図１３は、図１のコネクタ装置の接続過程を説明するための正面視における概略説明図である。図１４は、図１のコネクタ装置の接続過程を説明するための正面視における概略説明図である。図１５は、図１のコネクタ装置の接続過程を説明するための側面視における概略説明図である。図１６は、図１のコネクタ装置における、慣性ロック部とロック部とのロック動作を説明するための拡大概略説明図である。図１７は、図１のコネクタ装置におけるベースコネクタの突出部の高さについて説明するための概略図である。図１８は、図１のコネクタ装置におけるベースコネクタの突出部の高さについて説明するための拡大概略説明図である。図１９は、図１のコネクタ装置におけるベースコネクタの突出部の高さについて説明するための拡大概略説明図である。図２０は、図１のコネクタ装置におけるベースコネクタの突出部の高さについて説明するための拡大概略説明図である。
【００３１】
なお、正面図とは、電線の引き出し方向に沿って見た図（図１のＤ矢視図）であり、平面図とは、嵌入方向に沿ってソケットコネクタ側からベースコネクタ側を見たときの図（図１のＥ矢視図）である。背面図は正面図の反対側を示し、底面図は平面図の反対側を示す。側面図は図１のＦ矢視図に相当する。また、図２乃至５は、ソケットコネクタに電線が接続された状態を示している。
【００３２】
本実施形態にかかるコネクタ装置１は、液晶パネルのインバータ基板（基板）６０と電源（図示せず）とを接続するためのものであり、図１に示すように、ベースコネクタ２０と、ソケットコネクタ１０とを有して構成されている。なお、本実施形態において、ソケットコネクタ１０、ベースコネクタ２０材料は、各種の導線、端子を除いて、プラスチック（絶縁材料）である。
【００３３】
ベースコネクタ２０は、インバータ基板（基板）６０に取り付けられ、基板６０上の各電子部品（図示せず）に対して電気的に接続されている。また、ソケットコネクタ１０には、電源に接続するための四つの電線５０が接続されている。そして、ソケットコネクタ１０がベースコネクタ２０に取り付けられることにより、ベースコネクタ２０がソケットコネクタ１０に対して接続される。
【００３４】
また、ソケットコネクタ１０は四つの第１端子３０を支持し、且つ、ベースコネクタ２０は四つの第２端子４０を支持している。そして、ソケットコネクタ１０がベースコネクタ２０に取り付けられると、これらの複数の端子が電気的に接続され、インバータ基板６０に対して電力が供給されるようになっている。また、コネクタ装置１は、その接続動作において、ベースコネクタ２０に形成された突出部２２（詳細は後述する）に沿ってソケットコネクタ１０がスライドすることで、ソケットコネクタ１０の進入角度が矯正され、ソケットコネクタ１０の斜め装着による半嵌合を防止できるようになっている。
【００３５】
以下の説明では、コネクタ装置１の接続動作において、ソケットコネクタ１０をベースコネクタ２０に対して取り付ける方向を接続方向とする（図１の矢印方向参照）。また、突出部２２は、ソケットコネクタ１０に形成された受入部１４に嵌入するようになっており、この嵌入方向（図１の矢印方向参照）と、上記の接続方向とは平行である（図１参照）。そして、嵌入方向と、ソケットコネクタ１０からの電線５０の引き出し方向（図１の矢印方向参照）とは直交している。すなわち、コネクタ装置１はＬ字接続型コネクタとなっている。以下、コネクタ装置１の各部の詳細について説明する。
【００３６】
（ソケットハウジング）
ソケットコネクタ１０は、ソケットハウジング１１を有し、四つの第１端子３０を支持するように構成されている。また、ソケットハウジング１１の本体部１１ｂは、全体として直方体状に形成されている（図２，３，５参照）。なお、本実施形態においては、ソケットコネクタ１０が、四つの第１端子３０を支持するように構成されているが、ソケットコネクタは、複数の第１端子を支持するように構成されていればよく、二つ又は三つの第１端子を支持してもよく、五つ以上の第１端子を支持していてもよい。
【００３７】
ソケットコネクタ１０のソケットハウジング１１には受入部１４が形成されており、この受入部１４は、ソケットハウジング１１を貫通するように、孔状に形成されている（図２乃至５参照）。そして、コネクタ装置１の接続時には、受入部１４に対してベースコネクタ２０の突出部２２が嵌入する（詳細は後述する）。また、受入部１４は、断面における輪郭線が四角形となるように形成されており、その内側には、幅方向（図の矢印方向参照）に関して両端部に形成された二つの内面１４ｂと、幅方向に平行な二つの内面１４ｃとが形成されている（図２等参照）。そして、二つの内面１４ｂ、及び、二つの内面１４ｃは、嵌入方向に対して平行である。なお、本実施形態においては、受入部１４が孔状に形成されているが、受入部は突出部が嵌入できるものであればよいため、凹状に形成されていてもよい。
【００３８】
また、ソケットハウジング１１にはロック部１２が形成されている。ロック部１２は、板状部１２ｐ、先端部１２ｆ、操作部１２ｇを有して構成され、支持部１２ｓを介してソケットハウジング１１の本体部１１ｂに連結している（図２，図３，図５（ｄ）参照）。板状部１２ｐは、嵌入方向に対して平行な方向に延びる板状部材である。先端部１２ｆは、板状部１２ｐの先端部において、本体部１１ｂ側に向かって突出する部分を含むように形成されている。また、操作部１２ｇは、板状部１２ｐにおける先端部１２ｆとは反対側の先端部において、本体部１１ｂとは反対側に向かって突出するように形成されている。このように、ロック部１２は、先端部１２ｆを有して鉤状に形成されている。 
【００３９】
コネクタ装置１の接続完了状態では、ロック部１２の先端部１２ｆが、ベースコネクタ２０のベースハウジング本体部２１に形成された慣性ロック部２３（後述する）に引っ掛けられることで、ベースコネクタ２０とソケットコネクタ１０との分離が抑制される。また、コネクタ装置１の接続状態を解除してソケットコネクタ１０をベースコネクタ２０から取り外す場合には、操作部１２ｇを本体部１１ｂ側に押すことになる。これにより、ロック部１２に対して、支持部１２ｓを支点とした回転方向の力が加えられ、ロック部１２の先端部１２ｆが慣性ロック部２３から外れて、ソケットコネクタ１０を取り外すことが可能な状態になる。なお、ロック部１２と本体部１１ｂとは、本実施形態においては一体として形成されたものであるが、別々に形成されたものの結合によりこれらが構成されていてもよい。
【００４０】
また、ソケットハウジング１１において、嵌入方向に関する両方の端面（端面１１ｓ、端面１１ｔ）を底面とした場合における全ての側面の、嵌入方向に関する両端部分に係る輪郭線が、直線状となっている。すなわち、二つの端面１１ｓ，１１ｔを底面とした場合には、図４（ｂ）、図５（ｄ）、図５（ｅ）に表した面が側面となる。なお、図５（ｄ）の反対側の側面図については、左右方向が逆になること以外は図５（ｄ）と同様であるので説明を省略する。そして、これら全側面の輪郭線のうち、嵌入方向に関する両端部分が直線状となっている。すなわち、これらの図において、四角形状に表わされたソケットハウジング１１の本体部１１ｂの上面の輪郭線（例として、図５（ｅ）のＧ参照）、及び、下面の輪郭線（例として、図５（ｅ）のＨ参照）が、小さな起伏はあるものの、全体として直線状となっている。なお、これらの輪郭線についてはこれら以外であってもよく、例えば、中心部分が段状に突出して形成された多段状であってもよい。そして、“多段状”の輪郭線には、中央部分が段状に窪んで形成されているものは含まれない。
【００４１】
また、ソケットハウジング１１には、四つの第１端子３０を受け入れるための凹部及び溝部が形成されており、四つの第１端子３０は、この凹部及び溝部に嵌り込むことで、ソケットハウジング１１に対して取り付けられている。また、ソケットコネクタ１０は、四つの第１端子３０を互いに絶縁するように構成されている。
【００４２】
（第１端子について）
四つの第１端子３０は、第１の端子グループ３０ｆと、第２の端子グループ３０ｓと、を有して構成されている（図４，５参照）。本実施形態においては、第１の端子グループ３０ｆ、及び、第２の端子グループ３０ｓには、それぞれ二つの第１端子３０が含まれている。
【００４３】
四つの第１端子３０のそれぞれは、電線に対して電気的に接続できるものであり、本実施形態においては、四つの第１端子３０に対して四つの電線５０が接続されている。より具体的には、第１の端子グループ３０ｆの二つの第１端子３０には二つの電線５０ｆが、第２の端子グループ３０ｓの二つの第１端子３０には二つの電線５０ｓが、それぞれ接続されている（図１，４，５参照）。そして、二つの電線５０ｆは、電源用電線（ホットライン）となっており、二つの電線５０ｓは、接地電位とするためのグラウンド用電線（コールドライン）となっている。これらの四つの電線５０は、ソケットコネクタ１０に設けられた二つの押さえ部材１３によって支持されている（図１，２等参照）。なお、本実施形態では、電線５０ｆを電源用、電線５０ｓをグラウンド用としているが、これは逆であってもよい。
【００４４】
そして、第１の端子グループ３０ｆ及び第２の端子グループ３０ｓのそれぞれは、通電時において、第１の端子グループ３０ｆ及び第２の端子グループ３０ｓの一方よりも他方が高電位となるタイミングを有するように、電圧の印加が可能なものである。そして、第１の端子グループ３０ｆ及び第２の端子グループ３０ｓには、そのようなタイミングが生じるように電圧（交流電圧）が印加される。
【００４５】
そして、第１の端子グループ３０ｆ及び第２の端子グループ３０ｓのそれぞれには、一方が他方よりも高電位になるという高低関係を互いに入れ替えつつ、交流電圧が印加される。具体的には、二つの電線５０ｓは接地電位に維持され、二つの電線５０ｆの電位が、高電位側（正側）及び低電位側（負側）の間で周期的に変化するため、第１の端子グループ３０ｆ及び第２の端子グループ３０ｓの一方が他方よりも高電位となるタイミングが生じる（なお、両者の電位が同電位になる瞬間もある）。
【００４６】
四つの第１端子３０は、四つの第２端子４０に対して電気的に接続されるものであり、それぞれ、金属板から各種加工を経て形成され、第２端子４０を挟んで受け入れることができるような形状及び寸法を有している。具体的には、四つの第１端子３０のそれぞれは、電線５０に接続される電線接続部と、第２端子４０の一部を挟むように形成された先端部とを有して構成されており、この先端部は、金属板に曲げ加工等を施すことによって、二枚の板状部が対向する形状を有している。そして、第１端子３０は、この先端部において弾性変形をしつつ、第２端子４０の板状の接触部４０ｄ（後述）を挟むことで、第２端子４０と電気的に接続されるように構成されている。より詳細には、第１端子３０の先端部の、対向する二枚の板状部間の幅が当初は狭くなっており、この幅よりも厚い接触部４０ｄの挿入に伴って、この幅が拡がるようになっている。
【００４７】
四つの電線５０はそれぞれ絶縁外装されており、この外装部の端部においては、第１端子３０との電気的接続のために内部の導体が露出している。そして、電線５０は、第１端子３０に対してはんだ付け等の方法により取り付けられる。
【００４８】
なお、本実施形態では、第１端子３０が四つであるので、接続される電線５０も四本であるが、第１端子の数はこのようなものには限られない。そして、複数の第１端子が設けられている場合には、その数に応じて複数の電線が接続されることになる。
【００４９】
また、本実施形態では、四つの第１端子３０が設けられており、第１の端子グループ３０ｆ、及び、第２の端子グループ３０ｓは、それぞれ二つの第１端子３０を有して構成されている。しかし、このような形態には限られず、ソケットハウジングは（二つ若しくは三つ、又は五つ以上の）複数の第１端子を支持するように構成されていてもよく、その場合には、複数の第１端子は、少なくとも一つの第１端子を含む第１の端子グループと、少なくとも一つの第１端子を含む第２の端子グループと、を有して構成されることになる。
【００５０】
（ベースハウジング）
ベースコネクタ２０は、基板６０に取り付けられるものであり、ベースハウジング本体部２１と、突出部２２と、四つの第２端子４０と、を有して構成されている（図６乃至９参照）。そして、四つの第２端子４０は、基板６０上の電子部品（図示せず）に対して電気的に接続される。さらに、四つの第２端子４０は、四つの第１端子３０に対して電気的に接続される。
【００５１】
ベースハウジング本体部２１には、四つの第２端子４０を受け入れるための凹部及び溝部が形成されており、四つの第２端子４０は、この凹部及び溝部に嵌り込むことで、ベースハウジング本体部２１に対して取り付けられている。
【００５２】
また、後述するように、四つの第２端子４０は、第１の端子グループ４０ｆと、第２の端子グループ４０ｓとを有して構成され、第１の端子グループ４０ｆ、及び、第２の端子グループ４０ｓは、ベースハウジング本体部２１の幅方向に沿って並べられている（図６，７，８参照）。すなわち、ベースハウジング本体部２１において、第１の端子グループ４０ｆ及び第２の端子グループ４０ｓが並べられている方向を幅方向とする（図１，６，７，８等参照）。
【００５３】
（突出部）
ベースコネクタ２０のベースハウジング本体部２１には、突出部２２が形成されている。突出部２２は、受入部１４の内面形状にほぼ沿った形状を有しており、ソケットハウジング１１に形成された受入部１４に対して嵌入するものである。そして、突出部２２の受入部１４に対する嵌入が完了すると、四つの第１端子３０と四つの第２端子４０とが電気的に接続された状態となる（この状態を接続完了状態とする）。
【００５４】
突出部２２が受入部１４に対して嵌入する方向を嵌入方向とすると（嵌入方向については図１等の矢印方向参照）、突出部２２は、この嵌入方向に沿って突出している（図６，７，９参照）。また、突出部２２の、幅方向に関して両端部に形成された二つの側面２２ｂは、嵌入方向に対して平行である（図６，図８（ｂ），図９参照）。
【００５５】
突出部２２は、一つの塊状として且つ柱状に形成されている。また、突出部２２は直方体状に形成されている。そのため、突出部２２には、幅方向に関して両端部の二つの側面２２ｂの他、この側面２２ｂと直交する面として、幅方向に平行な二つの側面２２ｃが形成されている（図６，図８，図９参照）。そして、突出部２２の、幅方向に平行な二つの側面２２ｃは、嵌入方向に対して平行である。
【００５６】
また、突出部２２は、第２端子４０における、第１の端子グループ４０ｆと第２の端子グループ４０ｓとの間の領域に配置されている（図６，図８（ａ），図８（ｂ），図９（ｅ）参照）。ここで、突出部２２は、第１の端子グループ４０ｆに属する第２端子４０ｗの接触部４０ｄと、第２の端子グループ４０ｓに属する第２端子４０ｙの接触部４０ｄと、を結ぶ直線上に位置しているわけではない（図６，図８（ａ）参照）。しかし、第１の端子グループ４０ｆと第２の端子グループ４０ｓとの間の領域には位置している。ここで、“第１の端子グループ４０ｆと第２の端子グループ４０ｓとの間の領域”とは、第１の端子グループ４０ｆと第２の端子グループ４０ｓとの間に挟まれた、電線の引き出し方向に関して広がりを持った領域のことである。より具体的には、突出部２２は、複数の第１端子３０、及び、複数の第２端子４０のうち、少なくともいずれかによって挟まれる位置に配置されていればよい。本実施形態に係るコネクタ装置１においては、突出部２２がこのように配置されることによって、第１の端子グループ３０ｆの二つの第１端子３０と、及び、第２の端子グループ３０ｓの二つの第１端子３０と、を結ぶ直線上に、受入部１４及び突出部２２が位置している。なお、突出部の配置は、本実施形態のようなものには限られず、突出部は上記のような領域内に配置されていればよい。
【００５７】
そして、突出部２２は、ソケットコネクタ１０の接続動作において、ソケットコネクタ１０が突出部２２に沿ってスライドすることに伴い、ベースハウジング本体部２１に対するソケットコネクタ１０の進入角度が矯正されるように構成されている。具体的には、接続開始時において、ソケットコネクタ１０が、ベースコネクタ２０に対して傾いた状態であっても、突出部２２によって、ソケットコネクタ１０の進入角度が適正な角度として許容される角度の範囲（これを許容進入角度範囲とする）に含まれるように、ソケットコネクタ１０が誘導される。すなわち、突出部２２の二つの側面２２ｂは、ソケットコネクタ１０を誘導するガイド面として機能する。そのため、突出部２２により、ソケットコネクタ１０の斜め装着を防止できる。ここで、このようにソケットコネクタ１０の進入角度が矯正されるのは、突出部２２の突出長さ、及び、受入部１４の嵌入方向長さが適切に設定されていることにより、突出部２２がガイドレールとして機能するからである。この突出部２２等の長さの詳細に関しては後述する。
【００５８】
また、突出部２２における幅方向に関しての中心位置と、側面２２ｂと、の距離（図９（ｅ）の距離Ｗａ参照）が、当該側面２２ｂに最も近接している第２端子４０と、当該側面２２ｂと、の距離（図９（ｅ）の距離Ｗｂ参照）よりも大きい。すなわち、Ｗａ＞Ｗｂの関係が成立している。なお、ここでは一方の側面２２ｂの側（第２の端子グループ４０ｓの側）についてのＷａ及びＷｂの関係について説明しているが、他方の側面２２ｂの側（第１の端子グループ４０ｆの側）についてもこの関係は同様である。なお、本実施形態においては、Ｗａ＞Ｗｂの関係が両方の側面２２ｂの側について成立しているが、一方の側においてのみ成立していてもよい。また、ＷａとＷｂとは等しくてもよいし、Ｗｂの方がＷａよりも小さくてもよい。
【００５９】
また、突出部は、直方体状に形成されていなくてもよく、例えば、二つの側面２２ｂ以外の側面が、曲面であってもよい。また、突出部は、一つの塊状として形成されていなくてもよく、例えば、離隔して配置された二つの柱状部から構成されていてもよい。しかし、この場合においても、この二つの柱状部において、幅方向に関して両端部に形成された二つの側面（一方の柱状部の側面、及び、他方の柱状部の側面）が、嵌入方向に対して平行となっている必要がある。一方、二つの柱状部において、両端部に形成された内側の二つの側面については、嵌入方向に対して平行でなくてもよい。
【００６０】
（慣性ロック部）
ベースハウジング本体部２１は、慣性ロック部２３をさらに有して構成されている。上記のように、慣性ロック部２３には、鉤状のロック部１２が引っ掛けられる。慣性ロック部２３は、ベースハウジング本体部２１の側壁面２４から突出形成されており、且つ、幅方向に沿って延びている（図６乃至８参照）。 
【００６１】
慣性ロック部２３の、嵌入方向に関してソケットコネクタ１０側には、ソケットコネクタ１０の接続動作においてロック部１２が接触する第１接触面２３ｂが形成されている（図６，図８（ａ），図８（ｂ），図１６参照）。そして、側壁面２４の位置する平面２４ｓと第１接触面２３ｂとの間の角度Ｃ（図１６参照）が、本実施形態では約６０度となっている。なお、この角度Ｃは、３５度以上９０度未満であることが望ましく、６０度でなくてもよい。
【００６２】
また、慣性ロック部２３には、嵌入方向に平行な第２接触面２３ｃがさらに形成されている（図１６参照）。第２接触面２３ｃは、ソケットコネクタ１０の接続動作において、ロック部１２が第１接触面２３ｂとの接触後に接触する面である。また、慣性ロック部２３の第１接触面２３ｂは、四つの第１端子３０と四つの第２端子４０との接続が完了する接続完了状態における、ソケットコネクタ１０のロック部１２の位置よりも、嵌入方向に関してソケットコネクタ１０側の位置に形成されている（図１５（ｃ）、図１６参照）。図１６で説明すると、接続完了状態におけるロック部１２の位置は、図１６において破線で示した最も下のロック部１２の位置に相当する。そして、その最も下のロック部１２の位置よりも、慣性ロック部２３は図における上方、すなわち、嵌入方向に関してソケットコネクタ１０側の位置に形成されている。
【００６３】
また、慣性ロック部２３の下面には第３接触面２３ｄが形成されている。コネクタ装置１の接続完了状態においては、ロック部１２の先端部１２ｆの、嵌入方向に関してソケットコネクタ側への変位が、第３接触面２３ｄによって制限されることにより、コネクタ装置１の分離が抑制される。なお、第２接触面はなくてもよい。また、第１接触面の位置は、本実施形態における位置には限られない。
【００６４】
（第２端子について）
四つの第２端子４０の詳細について説明する。四つの第２端子４０は、それぞれ、第２端子４０ｗ、第２端子４０ｘ、第２端子４０ｙ、第２端子４０ｚである（図６，７、図８（ａ）参照）。また、四つの第２端子４０は、それぞれ、板状の接触部４０ｄを有して構成されている。そして、コネクタ装置１の接続時には、四つの第１端子３０が、四つの接触部４０ｄに接触することで、四つの第１端子３０と、四つの第２端子４０とが電気的に接続されることになる。
【００６５】
上記のように、ベースコネクタ２０によって支持される四つの第２端子４０は、四つの第１端子３０に対して電気的に接続されるため、第１端子３０と同様に、四つの第２端子４０も、第１の端子グループ４０ｆと、第２の端子グループ４０ｓとを有して構成されることになる（図６乃至１２参照）。具体的には、第１の端子グループ４０ｆは二つの第２端子４０（第２端子４０ｗ、第２端子４０ｘ）を含んで構成され、第２の端子グループ４０ｓは、二つの第２端子４０（第２端子４０ｙ、第２端子４０ｚ）を含んで構成される。そして、第１の端子グループ３０ｆの二つの第１端子３０は、第１の端子グループ４０ｆの二つの第２端子４０に対して接続され、第２の端子グループ３０ｓの二つの第１端子３０は、第２の端子グループ４０ｓの二つの第２端子４０に対して接続される。
【００６６】
そして、第１端子３０と同様に、第２端子４０における第１の端子グループ４０ｆ及び第２の端子グループ４０ｓのそれぞれは、通電時において、第１の端子グループ４０ｆ及び第２の端子グループ４０ｓの一方よりも他方が高電位となるタイミングを有するように、電圧の印加が可能なものである。そして、第１の端子グループ４０ｆ及び第２の端子グループ４０ｓには、そのようなタイミングが生じるように電圧が印加される。
【００６７】
そして、第１の端子グループ４０ｆ及び第２の端子グループ４０ｓのそれぞれには、一方が他方よりも高電位になるという高低関係を互いに入れ替えつつ、交流電圧が印加される。具体的には、二つの電線５０ｓは接地電位に維持され、二つの電線５０ｆの電位が、高電位側（正側）及び低電位側（負側）の間で周期的に変化するため、第１の端子グループ４０ｆ及び第２の端子グループ４０ｓの一方が他方よりも高電位となるタイミングが生じる（なお、両者の電位が同電位になる瞬間もある）。
【００６８】
このように、２極間（第１の端子グループ４０ｆと第２の端子グループ４０ｓとの間）には時間の経過に応じて電位差が生じる。また、電極間の短絡を防止するため、最大となる電位差の大きさに応じて電極間の距離（図８（ａ）のＤ２参照）を長くする必要がある。一例として、本実施形態においては、１００ｖの最大電位差ごとに間隔が１ｍｍとなるように電極間の距離Ｄ２を設定する。電極間の最大電位差が大きくなるほど、電極間距離Ｄ２を長く設定することになる。例えば、２極間の最大電位差が１５００ｖであれば、Ｄ２は１５ｍｍとなる。
【００６９】
また、第１の端子グループ４０ｆ、及び、第２の端子グループ４０ｓは、それぞれ、先端部４０ｂ，４０ｃを有して構成されている。四つの第２端子４０がベースコネクタ２０に対して取り付けられた状態では、第１の端子グループ４０ｆ、及び、第２の端子グループ４０ｓのそれぞれにおいて、先端部４０ｂ，４０ｃがベースコネクタ２０の底面から突出した状態となる（図６乃至９参照）。そして、二つの先端部４０ｂ及び二つの先端部４０ｃが、基板６０に形成された接続端子部分に挿入されることにより、四つの第２端子４０と基板６０上の電子部品とが電気的に接続されることになる。
【００７０】
なお、本実施形態においては、ベースコネクタ２０は、四つの第２端子４０を支持するように構成されているが、ベースハウジングは、複数の第２端子を支持するように構成されていればよく、二つ又は三つの第２端子を支持してもよく、五つ以上の第２端子を支持していてもよい。
【００７１】
また、ベースコネクタにおいては、複数の第２端子が、少なくとも一つの第２端子を含む第１の端子グループと、少なくとも一つの第２端子を含む第２の端子グループと、を有して構成されていればよく、本実施形態のような構成には限られない。例えば、第１の端子グループの第２端子の数は一つであっても又は三つ以上であってもよいし、第２の端子グループの第２端子の数についても、一つであってもよいし、又は三つ以上であってもよい。
【００７２】
また、本実施形態では、四つの第２端子４０が設けられており、第１の端子グループ４０ｆ、及び、第２の端子グループ４０ｓは、それぞれ二つの第２端子４０を有し、且つ、それぞれの第２端子４０が、接触部４０ｄを有して構成されている。しかし、このような形態には限られず、ベースコネクタは、複数の第１端子に対して電気的に接続される複数の第２端子を有していればよい。
【００７３】
また、本実施形態とは異なり、ベースコネクタ、及び、ソケットコネクタが、二つ若しくは三つ、又は五つ以上の第１端子、及び、第２端子を支持するように構成される場合には、第１端子における第１の端子グループ、及び、第２の端子グループは、それぞれ、第２の端子における第１の端子グループ、及び、第２の端子グループに対応するように分けられる。
【００７４】
（接続動作）
次に、コネクタ装置１の接続動作について図を参照しつつ説明する。ここでは、コネクタ装置１の接続開始時において、ソケットコネクタ１０がベースコネクタ２０に対して傾いた状態となっている場合の接続動作について説明する。なお、図１３、１４において、角度Ｓ１，Ｓ２，Ｓ３は、嵌入方向に対するソケットコネクタ１０の進入方向の傾き角の大きさを示している。
【００７５】
まず、例えばソケットコネクタ１０の側面を手で持ち、ベースコネクタ２０の上方位置まで、ソケットコネクタ１０を移動させる（図１５（ａ）参照）。
【００７６】
次に、突出部２２が受入部１４に挿入されるように、ソケットコネクタ１０をベースコネクタ２０に対して接触させる（図１０，１３参照）。この接続開始状態では、ベースハウジング本体部２１に対するソケットコネクタ１０の進入角度は、突出部２２の突出方向である嵌入方向に対して、大きく傾いているものとする（図１３（ａ）の角度Ｓ１参照）。
【００７７】
そして、さらにソケットコネクタ１０を嵌入方向についてベースコネクタ側へ押し込むと、ソケットコネクタ１０が、突出部２２に沿ってスライドしながらベースコネクタ側へ移動する（図１１，図１２、図１３（ｂ）（ｃ），図１５（ｂ）参照）。そして、ベースハウジング本体部２１に対するソケットコネクタ１０の進入角度は、このスライド動作に伴って、接続方向奥側へ進入するほど矯正されていく（図１３（ａ）（ｂ）（ｃ）の角度Ｓ１，Ｓ２，Ｓ３参照）。すなわち、ソケットコネクタ１０の進入角度は、突出部２２に沿ったスライド動作に伴って、嵌入方向に近付いていき、第１端子３０及び第２端子４０の接触が開始する時点では、ソケットコネクタ１０の進入角度は嵌入方向にほぼ等しくなる（図１２、図１４（ｃ）参照）。そのため、ソケットコネクタ１０が傾いた状態で接続が開始されても、第１端子３０及び第２端子４０が接続される時点では、端子間の接続が正常に行なわれる程度にまで、ソケットコネクタ１０の傾きは矯正されている。
【００７８】
また、この段階においては、慣性ロック部２３の第１接触面２３ｂとロック部１２の先端部４０ｃとが接触する（図１５（ｂ）、図１６実線部参照）。そして、この仮接触によっても、ソケットコネクタ１０の進入角度がさらに確実に矯正される。
【００７９】
そして、さらにソケットコネクタ１０を押し込むと、ロック部１２が、慣性ロック部２３の突出方向に向かって撓む（図１６の破線部参照）。そのため、ロック部１２が、慣性ロック部２３を乗り越えることになる。
【００８０】
さらにソケットコネクタ１０を押し込むと、突出部２２の受入部１４に対する嵌入が完了する。そして、ロック部１２の先端部４０ｃが、慣性ロック部２３に引っ掛り、ソケットコネクタ１０の嵌入方向に関する変位が制限される（図１６破線部参照）。これにより、ソケットコネクタ１０のベースコネクタ２０からの分離が抑制されて、コネクタ装置１の接続が完了する（図１，図１４（ｄ），図１５（ｃ）参照）。そして、四つの第１端子３０と四つの第２端子４０とが電気的に接続された接続完了状態となる。
【００８１】
以上のようにして、ソケットコネクタ１０を押し込むという一回の動作によって、半嵌合状態になることなく、ソケットコネクタ１０とベースコネクタ２０との接続が完了する。なお、図１，図１４（ｄ）に示すように、接続完了状態では、突出部２２の上面位置が、ソケットコネクタ１０の上面位置にほぼ等しくなるため、ソケットコネクタ１０の進入深さの確認ができる。
【００８２】
また、例えば、太い電線を使えない事情がある場合には、本実施形態のように、二本以上の電源用電線（又は、グラウンド用電線）をコネクタに使用することがある。このような場合に、例えば本実施形態では、第１端子３０、第２端子４０の数としてはそれぞれ四つであり、外見上は４極のようであるが、二つの電極は電源用であり、他の二つの電極はグラウンド用であるので、実質的には２極であるといえる。
【００８３】
（突出部等の長さについて）
次に、図１７乃至２０を参照して、受入部１４の嵌入方向長さ、突出部２２の長さの設定についての考え方を示す。ここでの計算では以下のような変数を用いる（図１７乃至２０参照）。
Ｗ１：受入部１４の幅
Ｗ２：突出部２２の幅
Ａ：傾き無しの基本姿勢における、突出部２２の上面に対するソケットハウジング１１の変位コーナー部Ｔの進入深さ
Ｂ：Ａに対応して定まる、ソケットハウジング１１の傾斜状態における変位コーナー部の進入深さ
θ１：傾き角度（嵌入角度に対する進入角度の傾き角度）
θ２：傾き無しの基本姿勢における、基準コーナー部Ｓと変位コーナー部Ｔとを結ぶ半直線、及び、幅方向に平行な半直線のなす角度
Ｌｔ：ベースハウジング本体部２１の基準面２１ｓからの第２端子４０の突出高さ
Ｈ：突出部２２の長さ
【００８４】
以下、図１７の破線で囲った部分について説明する。まず、ソケットコネクタ１０において、受入部１４を形成する二つの内面１４ｂにおける、嵌入方向に関して最もベースコネクタ２０側のコーナー部として変位コーナー部Ｔを設定し、且つ、突出部２２における、嵌入方向に関して最もソケットコネクタ１０側のコーナー部として基準コーナー部Ｓを設定する。
【００８５】
ここで、ソケットコネクタ１０とベースコネクタ２０との位置・傾き関係を次のように設定する。
（１）ソケットコネクタ１０とベースコネクタ２０とが、基準コーナー部Ｓにおいて接触し、且つ、ソケットコネクタ１０が傾いていない状態を基本姿勢とする（図１８乃至２０の破線部参照）。この状態における突出部２２上面位置と、ソケットハウジング１１下面位置との差がＡとなる。受入部１４の長さとして、少なくとも長さＡが確保されている。
（２）ソケットコネクタ１０は、基準コーナー部Ｓを中心として、ベースコネクタ２０に対して回転移動する。
（３）基準コーナー部Ｓを中心として回転移動の結果、変位コーナー部Ｔが突出部２２に接触した状態における、基本姿勢に対するソケットコネクタ１０の傾き角度がθ１となる。これを傾斜状態とする。
（４）Ｂは、傾斜状態における変位コーナー部Ｔと突出部２２上面との距離である。
（５）突出部２２の挿入性を確保する観点から、Ｗ１はＷ２よりも大きく設定されており、突出部２２と受入部１４との間には、大きさがＷ１−Ｗ２である隙間が生じている。
【００８６】
図１８は、ソケットコネクタ１０の変位コーナー部Ｔとは反対側のコーナー部と、基準コーナー部Ｓとが接触している場合を示している。この場合には、Ａ＝０、且つ、θ２は０度となり、ソケットコネクタ１０がベースコネクタ２０に対して装着可能となる角度の範囲内において、θ１は最大となる。すなわち、進入角度がこの状態におけるθ１よりも大きければ、そもそも受入部１４に対して突出部２２が挿入されないので、斜め装着の問題も生じない。また、図１９，２０は、基準コーナー部Ｓが、ソケットコネクタ１０の受入部１４の内面１４ｂに接触している状態を、Ａの深さを二段階に変化させて示したものである。図１８乃至２０を見て分かるように、Ａが深くなるほど、θ１は小さくなる。すなわち、突出部２２全体の長さＨからＬｔを除いた突出部２２の先端部の長さがＢよりも大きく、且つ、端子の接続を考えた場合に適正な角度として許容できる進入角度の範囲（許容進入角度範囲）が小さいことが望ましい。このような状態では、ソケットコネクタ１０が傾いていたとしても、ソケットコネクタ１０が突出部２２に沿ってスライドしながら進入して、複数の第１端子及び複数の第２端子が接触を開始する位置に至った状態においては、これらの端子が正常に接続されうる状態になるからである。そして、さらにソケットコネクタ１０を押し込んだときに、ソケットコネクタ１０の傾き角度が許容範囲に必ず収まるので、端子間の電気的な接続が正常に完了しつつ、コネクタ装置１の接続が完了することになる。
【００８７】
以下、θ１、Ｂを求めるための計算式を示す。
ｃｏｓ（θ２）＝Ｗ１／√（Ｗ１２＋Ａ２）    （１）
となり、ここから、
θ２＝ｃｏｓ−１｛Ｗ１／√（Ｗ１２＋Ａ２）｝    （２）
となる。また、
ｃｏｓ（θ１＋θ２）＝Ｗ２／√（Ｗ１２＋Ａ２）    （３）
となり、ここから、
θ１＋θ２＝ｃｏｓ−１（Ｗ２／√（Ｗ１２＋Ａ２）    （４）
となり、これと（２）から、
θ１＝ｃｏｓ−１｛Ｗ２／√（Ｗ１２＋Ａ２）｝―θ２
＝ｃｏｓ−１｛Ｗ２／√（Ｗ１２＋Ａ２）｝―ｃｏｓ−１｛Ｗ１／√（Ｗ１２＋Ａ２）｝    （５）
のようになる。また、Ｂについては、
Ｂ＝√（Ｗ１２＋Ａ２−Ｗ２２）
となる。
【００８８】
例えば、まず、θ１に関して許容できる角度範囲を設定する。ここで、θ１は、第１端子３０と第２端子４０が接触を開始する時点において、正常な接続を可能とするために許容できる最大の角度となる。θ１を計算すると、その結果として、それを満足するＡ，Ｗ１，Ｗ２の関係が導き出される（または、Ｗ１，Ｗ２の関数としてのＡが導き出される）。そして、そのＡ，Ｗ１，Ｗ２を使うと、Ｂも導き出される。
【００８９】
受入部１４の嵌入方向長さ、突出部２２の長さＨの設定に関しては、例えば、受入部１４の長さとしてＡを確保した場合に、突出部２２の長さＨとして、最低でもＬｔ＋Ｂを確保するようにする。これに関連して、例えば、変位コーナー部Ｔの、基準面２１ｓからの距離（図２０のＺ参照）を一定とする。そして、Ｚを一定に保ったまま、Ｈを長くしていくとする（すなわち、Ａが長くなっていく）。その場合に、ＨがＬｔ＋Ｂを超える場合には、この長さＨが長くなるほどθ１は小さくなっていく。
【００９０】
以上のようにして、Ｗ１，Ｗ２の関係を用いてＡ，Ｂ，θ１を求め、これらをθ１が許容範囲に収まるように小さく設定することにより、半嵌合の発生自体を未然に防止することができる。θ１の角度としては、例えば１度以下であることが望ましい。また、通常は、挿入性確保のため、突出部２２と受入部１４との間の隙間をある程度は確保する必要がある。この発明によると、隙間の大きさが大きくても、それに応じてＡ，Ｈを設定することにより、θ１を小さく設定することが可能となる。
【００９１】
（効果）
次に、本実施形態にかかるベースコネクタ２０及びコネクタ装置１の効果について説明する。本実施形態に係るベースコネクタ２０は、四つの第１端子３０を支持するソケットコネクタ１０に対して接続され、基板６０に取り付けられるベースコネクタであって、四つの第１端子３０に対して電気的に接続される四つの第２端子４０と、ベースハウジング本体部２１と、を有し、ベースハウジング本体部２１には突出部２２が形成されており、当該突出部２２は、ソケットコネクタ１０のソケットハウジング１１において孔状に形成された受入部１４に対して嵌入するものであり、突出部２２は、突出部２２が受入部１４に対して嵌入する方向である嵌入方向に沿って突出しており、突出部２２の受入部１４に対する嵌入が完了すると、四つの第１端子３０と四つの第２端子４０とは電気的に接続された状態となり、四つの第２端子４０は、二つの第２端子４０を含む第１の端子グループ４０ｆと、二つの第２端子４０を含む第２の端子グループ４０ｓと、を有して構成され、第１の端子グループ４０ｆ及び第２の端子グループ４０ｓのそれぞれは、通電時において、第１の端子グループ４０ｆ及び第２の端子グループ４０ｓの一方よりも他方が高電位となるタイミングを有するように、電圧の印加が可能なものであり、第１の端子グループ４０ｆ、及び、第２の端子グループ４０ｓは、ベースハウジング本体部２１の幅方向に沿って並べられており、突出部２２の、幅方向に関して両端部に形成された二つの側面２２ｂは、嵌入方向に対して平行であり、ソケットコネクタ１０の接続動作において、ソケットコネクタ１０が突出部２２に沿ってスライドすることに伴い、ベースハウジング本体部２１に対するソケットコネクタ１０の進入角度が矯正され、突出部２２は、第１の端子グループ４０ｆと第２の端子グループ４０ｓとの間の領域に配置されている。
【００９２】
この構成では、ベースハウジング本体部２１において、嵌入方向に沿って突出した突出部２２が形成されており、この突出部２２の幅方向両端の側面２２ｂは嵌入方向に対して平行となっている。そして、突出部２２は、ベースハウジング本体部２１に対するソケットコネクタ１０の進入角度が、四つの第１端子３０及び四つの第２端子４０の電気的接続を完了するための適正な角度として許容される角度の範囲（許容進入角度範囲）に含まれるように、ソケットコネクタ１０を誘導する。すなわち、突出部２２の二つの側面２２ｂは、ソケットコネクタ１０を誘導するガイド面として機能する。そして、ソケットコネクタ１０の接続動作において、ソケットコネクタ１０が突出部２２に沿ってスライドすることに伴い、ソケットコネクタ１０の挿入角度が矯正される。そのため、ソケットコネクタ１０の斜め装着を防止でき、コネクタにおける確実な電気的接続が可能となる。
【００９３】
また、この構成によると、突出部２２は、四つの第２端子４０における、第１の端子グループ４０ｆと第２の端子グループ４０ｓとの間の領域に配置される。すなわち、第１の端子グループ４０ｆ及び第２の端子グループ４０ｓを有する実質的に２極型のコネクタにおいて、突出部２２が電極間に位置することになる。そのため、例えば、高電圧の印加が必要な基板に用いられる、電源接続用のコネクタにおいて、広げられた電極間のスペースを有効利用できる。
【００９４】
また、２極間の最大電位差が大きい場合には、電極間は絶縁されている必要があり、それに関連して、２極間における電流の伝達距離は長い方が良い。そこで、ソケットハウジング１１に形成された受入部１４に突出部２２を嵌入する構成とすることで、ベースハウジング本体部２１及びソケットハウジング１１において、少なくとも電極部分の沿面距離が確保されるために、突出部２２及び受入部１４が無い均一な状態に比べて、２極間における電流の伝達距離を長くすることができる。その結果、電極間（第１の端子グループと第２の端子グループとの間）において電流が流れ難くなり、２極間の最大電位差が大きい場合であっても、電極間がより確実に絶縁される。以上のように、この構成によると、斜め装着を防止することにより確実な電気的接続が可能であると共に、電極間のスペースを有効利用できるベースコネクタが得られる。
【００９５】
なお、“第１の端子グループ４０ｆ及び第２の端子グループ４０ｓの一方よりも他方が高電位となるタイミングを有する”とは、例えば、本実施形態のように、第１の端子グループ４０ｆ及び第２の端子グループ４０ｓのそれぞれに対して交流電圧が印加された場合に、一方が、他方よりも高電位になるタイミング（瞬間）があればよい、という意味であり、この場合の第１の端子グループ４０ｆ及び第２の端子グループ４０ｓの電位の高低の関係は、本実施形態において示したように、時間の経過と共に入れ替わるものであってもよい。また、これ以外にも、例えば、第１の端子グループ及び第２の端子グループのそれぞれに対して直流電圧が印加されるような場合には、一方が他方よりも高電位である状態が維持される（高低関係が入れ替わることなく維持される）ことも考えられるが、このような状態も含まれる意味であるとする。
【００９６】
また、ベースコネクタ２０においては、突出部２２における幅方向に関しての中心位置と側面２２ｂとの距離が、当該側面２２ｂに最も近接している第２端子４０と当該側面２２ｂとの距離よりも大きい。このため、突出部２２の中心から側面２２ｂまでの長さに対して、突出部２２と第２端子４０との間の距離が短くなることにより、第２端子４０が突出部２２から近い位置に配置されるため、ベースコネクタ２０全体として、幅方向に関しての大型化を抑止できる。また、突出部２２が幅方向に関して比較的長くなるために、電極間がさらに確実に絶縁される。
【００９７】
また、ベースコネクタ２０において、突出部２２は、一つの塊状として且つ柱状に形成されている。このため、突出部２２の形状が簡素なものとなるために、簡易な構成により斜め装着を防止できる。
【００９８】
また、ベースコネクタ２０において、突出部２２は直方体状に形成されており、突出部２２の、幅方向に平行な二つの側面２２ｃは、嵌入方向に対して平行である。これによると、突出部２２において、幅方向両端部の二つの側面２２ｂに加えて、さらに二つのガイド面が形成されるので、ソケットコネクタ１０の進入角度が、より確実に矯正される。
【００９９】
また、ベースコネクタ２０において、ベースハウジング本体部２１は、ソケットハウジング１１に形成された鉤状のロック部１２が引っ掛けられる部分である慣性ロック部２３をさらに有して構成され、慣性ロック部２３は、ベースハウジング本体部２１の側壁面２４から突出形成されており、且つ、幅方向に沿って延びており、慣性ロック部２３の、嵌入方向に関してソケットコネクタ１０側には、ソケットコネクタ１０の接続動作においてロック部１２が接触する第１接触面２３ｂが形成されており、側壁面２４の位置する平面２４ｓと第１接触面２３ｂとの間の角度が、約６０度である。 
【０１００】
これによると、ベースハウジング本体部２１の側壁面２４から突出形成され、且つ、幅方向に沿って延びる慣性ロック部２３に、ソケットハウジング１１のロック部１２が仮接触することで、ソケットコネクタ１０の進入角度がさらに確実に矯正される。また、側壁面２４の位置する平面２４ｓと第１接触面２３ｂとの間の角度が、３５度以上９０度未満の範囲に含まれる約６０度であることにより、ソケットコネクタ１０をさらに挿入したときに、慣性ロック部２３に接触したロック部１２が撓みやすくなるので、ロック部１２が慣性ロック部２３に引っ掛ることなく慣性ロック部２３を超えられる。
【０１０１】
また、ベースコネクタ２０において、慣性ロック部２３には、ソケットコネクタ１０の接続動作において、ロック部１２が第１接触面２３ｂとの接触後に接触する、嵌入方向に平行な第２接触面２３ｃがさらに形成されている。このため、慣性ロック部２３を容易に形成でき、且つ、慣性ロック部２３としての適度な強度を確保できる。
【０１０２】
また、ベースコネクタ２０において、慣性ロック部２３の第１接触面２３ｂは、四つの第１端子３０と四つの第２端子４０との接続が完了する接続完了状態における、ソケットコネクタ１０のロック部１２の位置よりも、嵌入方向に関してソケットコネクタ１０側の位置に形成されている。このため、まず、突出部２２に沿ってソケットコネクタ１０がスライドすることでソケットコネクタ１０の進入角度が矯正される。さらに、ロック部１２の位置に関して、第１端子及び第２端子の接続完了状態における位置よりも嵌入方向に関してソケットコネクタ１０側の位置において、ロック部１２が慣性ロック部２３に仮接触することで、接続完了位置の手前側においてソケットコネクタ１０の進入角度がさらに矯正される。そのため、ソケットコネクタ１０の進入角度が確実に矯正された状態で、第１端子３０及び第２端子４０の電気的接続が完了する。
【０１０３】
また、本実施形態に係るコネクタ装置１は、孔状の受入部１４が形成されたソケットハウジング１１を備え、且つ、四つの第１端子３０を支持するソケットコネクタ１０と、上記のベースコネクタ２０と、を有する。これによると、斜め装着を防止することにより確実な電気的接続が可能であると共に、電極間のスペースを有効利用できるコネクタ装置が得られる。
【０１０４】
また、コネクタ装置１のソケットハウジング１１において、嵌入方向に関する両端面１１ｓ，１１ｔを底面とした場合における全ての側面の、嵌入方向に関する両端部分に係る輪郭線が、直線状である。このため、ソケットハウジング１１が撓み難くなり、ソケットコネクタ１０とベースコネクタ２０とを確実に接続できる。
【０１０５】
また、コネクタ装置１において、四つの第１端子３０のそれぞれは、電線５０に対して電気的に接続できるものであり、嵌入方向と、ソケットコネクタ１０からの電線５０の引き出し方向と、は直交している。このため、電線５０の引き出し方向と嵌入方向とが直交しているために、電線５０が引っ張られた場合であっても、ソケットコネクタ１０が抜けにくい構造とすることができる。
【０１０６】
以上、本発明の実施形態について説明したが、本発明は上述の実施の形態に限られるものではなく、特許請求の範囲に記載した限りにおいて様々に変更して実施することができるものである。
【０１０７】
例えば、上記の実施形態は、Ｌ字接続型のコネクタとして説明しているが、Ｌ字接続型のものには限られず、本発明の技術がサイドタイプのコネクタに適用されても良い。
【０１０８】
また、上記の実施形態では、第１の端子グループ及び第２の端子グループにそれぞれ接続される電線のうち、一方は電源用電線（ホットライン）となり、他方は、接地電位とするためのグラウンド用電線（コールドライン）となるように、第１の端子グループ及び第２の端子グループに対して交流電圧が印加されるものとなっているが、このようなものには限られない。例えば、一方の電線には交流が通電し、他方の電線には、この一方の電線の電圧を完全に正負反転させた交流が通電するように、第１の端子グループ及び第２の端子グループに対して電圧が印加されるものであってもよい。また、一方の電線には交流が通電し、他方の電圧には、この一方の交流電圧よりも電圧の絶対値が小さい交流が通電するように、第１の端子グループ及び第２の端子グループに対して電圧が印加されるものであってもよい。また、第１の端子グループ及び第２の端子グループには、直流電圧が印加されてもよい。また、第１の端子グループ及び第２の端子グループに対して、互いに最大・最小電圧が同じであり、且つ、互いに位相が異なる電圧が印加されてもよい。
【０１０９】
また、上記の実施形態では、基板に対して外部の電源からの電力を供給するためのコネクタについて説明しているが、本発明にかかるコネクタは、基板からの電力を、外部に対して送り出す用途に用いられてもよい。
【図面の簡単な説明】
【０１１０】
【図１】本発明の第１実施形態に係るベースコネクタ、及び、これを含むコネクタ装置の全体構成を示す斜視概略図である。
【図２】図１のソケットコネクタの斜視概略図である。
【図３】図１のソケットコネクタの裏面斜視概略図である。
【図４】図１のソケットコネクタを示す概略図であり、（ａ）は平面図、（ｂ）は背面図、（ｃ）は底面図を示す。
【図５】図１のソケットコネクタを示す概略図であり、（ｄ）は側面図、（ｅ）は正面図を示す。
【図６】図１のベースコネクタの斜視概略図である。
【図７】図１のベースコネクタの裏面斜視概略図である。
【図８】図１のベースコネクタを示す概略図であり、（ａ）は平面図、（ｂ）は背面図、（ｃ）は底面図を示す。
【図９】図１のソケットコネクタを示す概略図であり、（ｄ）は側面図、（ｅ）は正面図を示す。
【図１０】図１のコネクタ装置の接続動作における一過程を示す斜視概略図である。
【図１１】図１のコネクタ装置の接続動作における一過程を示す斜視概略図である。
【図１２】図１のコネクタ装置の接続動作における一過程を示す斜視概略図である。
【図１３】図１のコネクタ装置の接続過程を説明するための正面視における概略説明図である。
【図１４】図１のコネクタ装置の接続過程を説明するための正面視における概略説明図である。
【図１５】図１のコネクタ装置の接続過程を説明するための側面視における概略説明図である。
【図１６】図１のコネクタ装置における、慣性ロック部とロック部とのロック動作を説明するための拡大概略説明図である。
【図１７】図１のコネクタ装置におけるベースコネクタの突出部の高さについて説明するための概略図である。
【図１８】図１のコネクタ装置におけるベースコネクタの突出部の高さについて説明するための拡大概略説明図である。
【図１９】図１のコネクタ装置におけるベースコネクタの突出部の高さについて説明するための拡大概略説明図である。
【図２０】図１のコネクタ装置におけるベースコネクタの突出部の高さについて説明するための拡大概略説明図である。
【符号の説明】
【０１１１】
１    コネクタ装置
１０    ソケットコネクタ
１１    ソケットハウジング
１１ｓ    端面
１１ｔ    端面
１２    ロック部
１２ｆ    先端部
１２ｇ    操作部
１２ｐ    板状部
１２ｓ    支持部
１３    押さえ部材
１４    受入部
２０    ベースコネクタ
２１    ベースハウジング本体部
２１ｓ    基準面
２２    突出部
２２ｂ    側面
２２ｃ    側面
２３    慣性ロック部
２３ｂ    第１接触面
２３ｃ    第２接触面
２４    側壁面
２４ｓ    側壁面の位置する平面
３０    第１端子
４０    第２端子
４０ｂ    先端部
４０ｃ    先端部
４０ｄ    接触部
４０ｆ    第１の端子グループ
４０ｓ    第２の端子グループ
５０    電線
６０    基板
【図１】
0004963650.tif 000002
【図２】
0004963650.tif 000003
【図３】
0004963650.tif 000004
【図４】
0004963650.tif 000005
【図５】
0004963650.tif 000006
【図６】
0004963650.tif 000007
【図７】
0004963650.tif 000008
【図８】
0004963650.tif 000009
【図９】
0004963650.tif 000010
【図１０】
0004963650.tif 000011
【図１１】
0004963650.tif 000012
【図１２】
0004963650.tif 000013
【図１３】
0004963650.tif 000014
【図１４】
0004963650.tif 000015
【図１５】
0004963650.tif 000016
【図１６】
0004963650.tif 000017
【図１７】
0004963650.tif 000018
【図１８】
0004963650.tif 000019
【図１９】
0004963650.tif 000020
【図２０】
0004963650.tif 000021